【手続補正書】
【提出日】平成20年8月1日(2008.8.1)
【手続補正１】
【補正対象書類名】明細書
【補正対象項目名】特許請求の範囲
【補正方法】変更
【補正の内容】
【特許請求の範囲】
【請求項１】
通信回線に接続され、ユーザマシンのコンピュータのシステム情報を該通信回線を介して取得するセンターマシンのコンピュータであって、前記ユーザマシンのコンピュータにインストールされたアプリケーションソフトウエアの使用時間と使用時間帯を表す使用履歴情報を前記ユーザマシンのコンピュータ内部記憶装置に記録させ、所定周期毎に前記コンピュータ内部記憶装置に記録させたユーザの氏名や住所を含む個人情報、及び、前記使用履歴情報を前記通信回線を介して取得する監視装置を備えることを特徴とするアプリケーションソフトウエアの使用状況監視装置。
【請求項２】
アプリケーションソフトウエアと、該アプリケーションソフトウエア名とバージョン名とカレンダ情報を記録するラベルファイルと、ダイナミックリンクライブラリと、インストールモジュールとを圧縮ファイルで記憶するセンターマシンのコンピュータ内部記憶装置と、通信回線を介してユーザマシンのコンピュータへ前記圧縮ファイルをダウンロードさせるウエッブサーバと、前記ユーザマシンのコンピュータ内部で解凍されインストールされた前記アプリケーションソフトウエアの起動に応答して該アプリケーションソフトウエアの使用履歴を前記ユーザマシンのコンピュータ内部記憶装置に一時記憶させ、該使用履歴情報を所定周期毎に通信回線を介して取得する監視装置を備えることを特徴とするアプリケーションソフトウエアの使用状況監視装置。
【請求項３】
アプリケーションソフトウエアと、該アプリケーションソフトウエア名とバージョン名とカレンダ情報を記録するラベルファイルと、前記アプリケーションソフトウエアの初期設定を記憶するイニシャライズファイル、ダイナミックリンク開始ファイル、及びダイナミックリンク終了ファイルを含むダイナミックリンクライブラリと、インストールモジュールとを圧縮ファイルで記憶するセンターマシンのコンピュータ内部記憶装置と、通信回線を介してユーザマシンのコンピュータへ前記圧縮ファイルをダウンロードさせるウエッブサーバと、前記ユーザマシンのコンピュータ内部で解凍されインストールされた前記アプリケーションソフトウエアの起動に応答して該アプリケーションソフトウエアの使用履歴を前記ユーザマシンのコンピュータ内部記憶装置に一時記憶させ、該使用履歴情報を所定周期毎に通信回線を介して自動取得する監視装置を備えるアプリケーションソフトウエアの使用状況監視装置。
【請求項４】
ユーザマシンのコンピュータ上で動作するアプリケーションソフトウエアに内在させるスクリプトのプログラムであって、前記アプリケーションソフトウエアが起動した日付毎に自動生成し、前記アプリケーションソフトウエアの使用時間帯や使用期間を含む使用履歴情報を記憶するシェルの総数をカウントするステップと、該シェルの総数が所定数に達したか否かを判定するステップと、当該判定結果が所定数を超えた段階で前記シェル内に記憶する使用履歴情報にユーザの氏名や住所を含む個人情報を付加する電子メールをセンターマシンのメールサーバへ送信するステップと、前記シェルを消去しながら新たなシェルを生成するステップと、を実行させるスクリプトのプログラム。
【請求項５】  ユーザマシンのコンピュータ上で動作するアプリケーションソフトウエアに内在させるスクリプトのプログラムであって、動作中のユーザマシンのコンピュータ内部記憶装置へ予め記憶したローカルＩＰアドレス情報及びグローバルＩＰアドレス情報と現在のローカルＩＰアドレス情報及びグローバルＩＰアドレス情報とを比較して、少なくとも１つが一致しないと判定した際は、現在のローカルＩＰアドレス情報及びグローバルＩＰアドレス情報に前記アプリケーションプログラムのインストレーション時に入力したユーザの氏名や住所を含む個人情報を付加する電子メールを通信回線を介してセンターマシンのメールサーバへ送信するステップを実行させるスクリプトのプログラム。 
【手続補正２】
【補正対象書類名】明細書
【補正対象項目名】０００２
【補正方法】変更
【補正の内容】
【０００２】
【従来の技術】
一般に、ユーザが使用しているアプリケーションソフトウエアの使用状況は、従来葉書によるアンケート調査や、通信回線を通じてアプリケーションソフトウエアの製造業者にユーザ登録する際にレポートすることにより、アプリケーションソフトウエアの使用頻度や使用期間を把握しいていた。また、インターネットやＰＨＳを含む携帯電話を使用している段階でユーザが使用しているアプリケーションソフトウエアの種類と使用時間帯並びに使用期間を特定していた。また、監視技術も知られていた（特許文献１、２、３、および４参照）。
【特許文献１】  特開平１０−０６３５３９号公報
【特許文献２】  特開平１１−２３８０３６号公報
【特許文献３】  特開平１１−２６６３５１号公報
【特許文献４】  特開平１１−２２５２３９号公報 
【手続補正３】
【補正対象書類名】明細書
【補正対象項目名】０００５
【補正方法】変更
【補正の内容】
【０００５】
【課題を解決するための手段】
本発明のアプリケーションソフトウエアの使用状況監視装置は、通信回線に接続され、ユーザマシンのコンピュータのシステム情報を該通信回線を介して取得するセンターマシンのコンピュータであって、ユーザマシンのコンピュータにインストールされたアプリケーションソフトウエアの使用時間と使用時間帯を表す使用履歴情報をユーザマシンのコンピュータ内部記憶装置に記録させ、所定周期毎に前記コンピュータ内部記憶装置に記録させたユーザの氏名や住所を含む個人情報、及び、使用履歴情報を通信回線を介して取得する監視装置を備えることを要旨とする。 
【手続補正４】
【補正対象書類名】明細書
【補正対象項目名】０００６
【補正方法】変更
【補正の内容】
【０００６】
また本発明のアプリケーションソフトウエアの使用状況監視装置は、アプリケーションソフトウエアと、該アプリケーションソフトウエア名とバージョン名とカレンダ情報を記録するラベルファイルと、ダイナミックリンクライブラリと、インストールモジュールとを圧縮ファイルで記憶するセンターマシンのコンピュータ内部記憶装置と、通信回線を介してユーザマシンのコンピュータへ圧縮ファイルをダウンロードさせるウエッブサーバと、ユーザマシンのコンピュータ内部で解凍されインストールされたアプリケーションソフトウエアの起動に応答して該アプリケーションソフトウエアの使用履歴をユーザマシンのコンピュータ内部記憶装置に一時記憶させ、該使用履歴情報を所定周期毎に通信回線を介して取得する監視装置を備えることを要旨とする。 
【手続補正５】
【補正対象書類名】明細書
【補正対象項目名】０００７
【補正方法】変更
【補正の内容】
【０００７】
さらに本発明のアプリケーションソフトウエアの使用状況監視装置は、アプリケーションソフトウエアと、該アプリケーションソフトウエア名とバージョン名とカレンダ情報を記録するラベルファイルと、アプリケーションソフトウエアの初期設定を記憶するイニシャライズファイル、ダイナミックリンク開始ファイル、及びダイナミックリンク終了ファイルを含むダイナミックリンクライブラリと、インストールモジュールとを圧縮ファイルで記憶するセンターマシンのコンピュータ内部記憶装置と、通信回線を介してユーザマシンのコンピュータへ前記圧縮ファイルをダウンロードさせるウエッブサーバと、前記ユーザマシンのコンピュータ内部で解凍されインストールされた前記アプリケーションソフトウエアの起動に応答して該アプリケーションソフトウエアの使用履歴を前記ユーザマシンのコンピュータ内部記憶装置に一時記憶させ、該使用履歴情報を所定周期毎に通信回線を介して取得する監視装置を備えることを要旨とする。 
【手続補正６】
【補正対象書類名】明細書
【補正対象項目名】０００８
【補正方法】変更
【補正の内容】
【０００８】
またさらに本発明のスクリプトのプログラムは、ユーザマシンのコンピュータ上で動作するアプリケーションソフトウエアに内在させるスクリプトのプログラムであって、アプリケーションソフトウエアが起動した日付毎に自動生成し、アプリケーションソフトウエアの使用時間帯や使用期間を含む使用履歴情報を記憶するシェルの総数をカウントするステップと、該シェルの総数が所定数に達したか否かを判定するステップと、当該判定結果が所定数を超えた段階でシェル内に記憶する使用履歴情報にユーザの氏名や住所を含む個人情報を付加する電子メールをセンターマシンのメールサーバへ送信するステップと、シェルを消去しながら新たなシェルを生成するステップと、を実行させることを要旨とする。
【手続補正７】
【補正対象書類名】明細書
【補正対象項目名】０００９
【補正方法】変更
【補正の内容】
【０００９】
さらにまた本発明のスクリプトのプログラムは、動作中のユーザマシンのコンピュータ内部記憶装置へ記憶したローカルＩＰアドレス情報及びグローバルＩＰアドレス情報と現在のローカルＩＰアドレス情報及びグローバルＩＰアドレス情報とを比較して、少なくとも１つが一致しないと判定した際は、現在のローカルＩＰアドレス情報及びグローバルＩＰアドレス情報にアプリケーションプログラムのインストレーション時に入力したユーザの氏名や住所を含む個人情報を付加する電子メールを通信回線を介してセンターマシンのメールサーバへ送信するステップを実行させることを要旨とする。 
【手続補正８】
【補正対象書類名】明細書
【補正対象項目名】００１７
【補正方法】変更
【補正の内容】
【００１７】
図７は本発明の実施の形態を例示するフローチャートである。ログファイル９２をイニシャライズして新規インストール情報を生成するダイナミックリンクライブラリのＤＬＬ＿ＩＮＩがコールされた際の処理について説明をする。ＤＬＬ＿ＩＮＩがコールされると処理が開始ステップ１６８に入り、ステップ１７０へ進みユーザのコンピュータは自動的にインストレーション情報を生成することができる。例えば、カレンダ機能のタイムスタンプの自動生成、ユーザが入力した氏名情報、同じくユーザが入力した住所情報、及び生年月日情報、並びに職業情報を記憶し、ユーザのコンピュータに既に登録されているコンピュータのローカル及びグローバルＩＰアドレスやインストールされているオペレーティングシステムのバージョン情報を自動的に取得して記憶してから、ステップ１７２へ進みインストレーション情報をセンターのメールサーバへ自動発信の電子メールでレポートさせることができ、その他アプリケーションソフトウエアをユーザへダウンロードさせたウエブサイト又はファイルトランスファサーバと接続している間に、これらタイムスタンプ、氏名情報、住所情報、生年月日情報、職業情報、ローカル及びグローバルＩＰアドレス、並びにオペレーティングシステムのバージョン情報を自動的に取得することもできる。インストレーション情報が取得された段階でステップ１７４へ進み処理を終了する。
【手続補正９】
【補正対象書類名】明細書
【補正対象項目名】００１９
【補正方法】変更
【補正の内容】
【００１９】
さらに、コンピュータ上で実行するアブリケーションソフトの利用者はＴＣＰ／ＩＰが使えるインターネット環境に接続できる状態であることが好ましいが、その他インターネット環境にアクセスができるｉ−ｍｏｄｏやｊ−ｓｋｙｎｅｔのような携帯電話端末にも本件発明は応用することができる。例えば、ゲームソフトをダウンロードしたユーザが意図的にゲームソフトを書き換えてストーリを変更することや、全面クリアの隠しコマンドを探査し短期にゲームを終了させるような不正使用をも未然に防止することもできる。アプリケーションソフトウエアをインストールする際は許諾書の中にアプリケーションソフトウエアプログラムの「使用統計を採取することに同意する」旨の文言を表示させるのが一般的ではあるが、ユーザのプライバシを侵害しない範囲であれば必ずしも同意を必要とするものではない。現在開発中のアプリケーションソフトウエアの使用状況監視製品は、インターネット環境に接続するユーザがダウンロードする所謂オンラインソフトを対象とするが、将来は店頭又は通信販売で取り扱うパッケージソフトウエアでも本発明を実施できるのは言うまでもない。本実施形態では例えば、アプリケーションソフトウエアの利用者が使用するコンピュータのハードディスクのCドライブの所定の領域をログエリアとして使用し、アプリケーションソフトウエアの利用者のオペレーションシステムは、米国マイクロソフト社が開発したウインドウズ９５／９８／ｍｅ／２０００／ＮＴに対応させているが、その他リナックスや米国アップル社製のオペレーティングシステムにも対応させることもできる。即ち、アブリケーションソフトウエア版のＣＯＯＫＩＥを電子メールを利用して個人情報を取得する。